(57)【要約】【課題】  製作が容易でデザイン性に優れる繊維製品を提供する。【解決手段】  平面状に成形した第１の羊毛１と、その上面にデザイン的に配置した前記羊毛と異なる色彩であるぜんまいの綿毛２と、その上面に前記綿毛が透けるように配置した第２の羊毛３と、から構成される繊維製品４である。【選択図】図１
0003201681.tif 000002
【実用新案登録請求の範囲】
【請求項１】
羊毛と、その羊毛と異なる色彩であるぜんまいの綿毛と、から構成されることを特徴とする繊維製品。
【請求項２】
平面状に成形した第１の羊毛と、その上面にデザイン的に配置した前記羊毛と異なる色彩であるぜんまいの綿毛と、その上面に前記綿毛が透けるように配置した第２の羊毛と、から構成されることを特徴とする請求項１に記載の繊維製品。
【請求項３】
羊毛にそれと異なる色彩であるぜんまいの綿毛を撚り合せた混合糸を縦糸、および、横糸、あるいは、縦糸、または、横糸の何れか一方に前記混合糸、他方に羊毛からなる糸を使い、前記混合糸が見えるように織られたことを特徴とする請求項１に記載の範囲繊維製品。
【考案の詳細な説明】
【技術分野】
【０００１】  本考案は、羊毛（ウール）を基材としてぜんまいの綿毛を組み合わせることにより、製作が容易でデザイン性に優れる繊維製品に関するものである。
【背景技術】
【０００２】  新潟県や東北地方では、ぜんまいの綿毛を使った織物（ぜんまい織り）がある。これは、ぜんまいの新芽を採取して食用の茎と綿毛を分離した後に、綿毛からゴミ等の異物を排除し、天日等で乾燥させ、９０度程度の高温で蒸し上げ、さらに乾燥させて、真綿や水鳥の羽毛を混ぜ合わせて糸を紡いで混合糸を作り、縦糸か横糸の何れか一方に綿糸や絹糸を用い、他方に前述の混合糸を使って織ることで製作される。【０００３】  特に、有名なものとしては、享保２（１７１７）年に越後から旧岩城町（現在の秋田県由利本荘市）亀田地区に招いた職工により伝承され、明治２０（１８８７）年、元本荘藩の御用商人であった佐藤雄次郎氏が土地に自生するぜんまいの綿毛と、綿花、あるいは、水鳥の羽毛とで混紡糸を作り、これを織った「ぜんまい白鳥織」「亀田織」として商品化したものがあり、現在は、「天鷺ぜんまい織」と称される製品もある。
【先行技術文献】
【非特許文献】
【０００４】
【非特許文献１】  「Ｗｉｋｉｐｅｄｉａ（ｈｔｔｐｓ：／／ｊａ．ｗｉｋｉｐｅｄｉａ．ｏｒｇ／ｗｉｋｉ／）」における『ぜんまい織り』の項目
【考案の概要】
【考案が解決しようとする課題】
【０００５】  斯かるぜんまい織りは、糸を紡ぐ際にぜんまいを混ぜて工程が煩雑で、一反織るのに２カ月程度かかり、加えて、製作者（織り手）毎に織り方が異なることから、最初から最後まで専門の織り手が所定のペースにより一人で織っており、織る知識や技能を有さない一般人が製作することは困難であった。【０００６】  また、従前のぜんまい織りで作られた布は、保温性や防水性に富むため雨除けや合羽地として重宝されたが、地合が粗くて厚いためデザイン性を重視する場合には不向きであった。
【課題を解決するための手段】
【０００７】  本考案の繊維製品は、羊毛と、その羊毛と異なる色彩であるぜんまいの綿毛と、から構成されるものである。【０００８】  特に、平面状に成形した第１の羊毛と、その上面にデザイン的に配置した前記羊毛と異なる色彩であるぜんまいの綿毛と、その上面に前記綿毛が透けるように配置した第２の羊毛と、から構成されるものである。【０００９】  特に、羊毛にそれと異なる色彩であるぜんまいの綿毛を撚り合せた混合糸を縦糸、および、横糸、あるいは、縦糸、または、横糸の何れか一方に前記混合糸、他方に羊毛からなる糸を使い、前記混合糸が見えるように織られたものである。
【考案の効果】
【００１０】  本考案に係る繊維製品は、製作が容易でデザイン性に優れる。
【図面の簡単な説明】
【００１１】
【図１】  本考案の第１実施例の分解斜視図である。
【図２】  本考案の第１実施例の平面図である。
【図３】  本考案の第１実施例を壁飾りに使用した写真である。
【図４】  本考案の第２実施例をテーブルクロスに仕上げる製作中の写真である。
【考案を実施するための形態】
【００１２】  羊毛と、その羊毛と異なる色彩であるぜんまいの綿毛と、から構成される繊維製品である。
【００１３】  また、平面状に成形した第１の羊毛と、その上面にデザイン的に配置した前記羊毛と異なる色彩であるぜんまいの綿毛と、その上面に前記綿毛が透けるように配置した第２の羊毛と、から構成される繊維製品である。
【００１４】  また、羊毛にそれと異なる色彩であるぜんまいの綿毛を撚り合せた混合糸を縦糸、および、横糸、あるいは、縦糸、または、横糸の何れか一方に前記混合糸、他方に羊毛からなる糸を使い、前記混合糸が見えるように織られた繊維製品である。
【実施例】
【００１５】  以下、添付図面に基づいて本考案の各実施例を説明する。【００１６】  本考案の第１実施例の分解斜視図である図１、その平面図である図２において、１は、薄く平面上に成形した第１の羊毛、２は、第１の羊毛１の上面に配置するぜんまいの綿毛、３は、ぜんまいの綿毛２の上面に配置する第２の羊毛、４は、完成した繊維製品である。【００１７】  第１の羊毛１は、ある程度の厚さ（１ミリ程度）に延ばしたもので、ホワイトやベージュの色が入手しやすいが、繊維製品４の利用形態（用途）に応じたデザインに合わせて適宜好適な色、太さ、柔らかさ等の素材を選択することができる。【００１８】  ぜんまいの綿毛２は、採取したぜんまいから茎を取り除いた後に異物を排除し、洗浄、および、乾燥して色彩や形状毎に区分し、繊維製品４の利用形態（用途）に応じたデザインに合わせて適宜所望するものを選択しながら第１の羊毛の上面に配置する。なお、前記配置後は、上方から手等で軽く圧着、あるいは／および、アイロン等の熱器具で加熱することで、羊毛１，３やぜんまいの綿毛２の位置を固定することが望ましい。【００１９】  第２の羊毛３は、ぜんまいの綿毛２の上面に第１の羊毛１よりは厚さが薄く、かつ、ぜんまいの綿毛２が透けるように配置することでぜんまいの綿毛２の移動を抑えることにより繊維製品４が完成し、羊毛と、その羊毛と異なる色彩であるぜんまいの綿毛と、から構成される繊維製品になる。【００２０】  完成した繊維製品４は、図３で示すように、壁飾りとして加工することができ、具体的には、縦横各２０センチ程度の額縁状木枠に木製平板を固定した台座（図３では見えない）の上面に繊維製品４を載置し、前記木枠の側面で繊維製品４を図示しない接着剤で固定している。【００２１】  本考案の第２実施例として、従前のぜんまい織りのように、羊毛にそれと異なる色彩であるぜんまいの綿毛を撚り合せた混合糸を縦糸、および、横糸、あるいは、縦糸、または、横糸の何れか一方に前記混合糸、他方に羊毛からなる糸を使い、前記混合糸が見えるように織ることにより、第１実施例の繊維製品４と同様に、羊毛と、その羊毛と異なる色彩であるぜんまいの綿毛と、から構成される繊維製品になる。【００２２】  なお、前記混合糸を作る方法としては、羊毛にそれと異なる色彩であるぜんまいの綿毛を手芸針や裁縫針等の器具、あるいは、手で撚り合せることで得ることができ、特殊な製造機械は不要であって誰でも比較的短時間に作ることができる。【００２３】  図４は、本考案の第２実施例をテーブルクロスに仕上げる製作中の写真であり、羊毛を縦糸、羊毛にそれと異なる色彩であるぜんまいの綿毛を撚り合せた混合糸を横糸、に使って前記混合糸が見えるように織ることで、テーブルクロスに仕上げる製作中の写真である。
【産業上の利用可能性】
【００２４】  本考案の繊維製品は、装飾品（壁飾り、タペストリー、アクセサリー等）、日用品（テーブルクロス、コースター、ランチョンマット等）、内装部材（ランプシェード、カーテン等）やその他に適用可能である。【００２５】  この繊維製品は、誰でも簡単に実施可能であり、例えば、織物の経験がない人や高齢者でも特別な学習をしないで製作することができ、また、幼児や子供等でも製作できるので情操教育のツールとして利用が可能であり、さらに、病気入院中の患者さん等の医療衛生の観点から身辺品に制約を受ける人であってもレクリエーションの一環として製作できる。【００２６】  加えて、この繊維製品に用いるぜんまいの綿毛は、保温性や防水性に富み、防虫や防カビ効果が知られていることから、広い分野や用途での利用に適している。
【符号の説明】
【００２７】１  第１の羊毛
２  ぜんまいの綿毛
３  第２の羊毛
４  繊維製品
【図１】
0003201681.tif 000003
【図２】
0003201681.tif 000004
【図３】
0003201681.tif 000005
【図４】
0003201681.tif 000006